(57)【要約】      （修正有）【課題】実銃のデザインとの近似性を保ちながら、交換等のために玩具銃用ガスカートリッジ取付装置を銃から取り外す際、玩具銃本体から勢いよく飛び出すことのない玩具銃用ガスカートリッジ取付装置を提供する。【解決手段】この発明の玩具銃は、玩具銃本体１２と、玩具銃本体１２に取り付けられる玩具銃用ガスカートリッジ取付装置４１とからなり、玩具銃用ガスカートリッジ取付装置４１は、玩具銃本体１２への取付時には、玩具銃側の端部が玩具銃本体１２に設けられた取付装置収納部２３内に収納され、玩具銃用ガスカートリッジ取付装置４１端部が玩具銃本体１２側に設けられた取付装置収納部２３へ収納された場合には、取付装置収納部２３内に収納される、玩具銃用ガスカートリッジ取付装置４１の側面、かつ本体側第１係止部３１との係合部よりも下部に設けられ、本体側第２係止部３２と係止する取付装置側第２係止部とを備える。【選択図】図１
2014202389.tif 000002
【特許請求の範囲】
【請求項１】
玩具銃本体と、玩具銃本体に取り付けられる玩具銃用ガスカートリッジ取付装置とを備え、
玩具銃本体は、
圧縮ガスを外部から導入し、玩具銃本体内部に供給する本体側連結弁と、
本体側連結弁の周囲に設けられた取付装置収納部と、
取付装置収納部の上部に設けられて、玩具銃用ガスカートリッジ取付装置の玩具銃側端部を取付装置収納部の開口部から挿入させた玩具銃本体への取付時に、玩具銃用ガスカートリッジ取付装置に係止する、本体側第１係止部と、
本体側第１係止部の下部に、本体側第２係止部とを有し、
玩具銃用ガスカートリッジ取付装置は、
玩具銃本体への取付時には、玩具銃側の端部が玩具銃本体に設けられた取付装置収納部内に収納され、
内部に収納されるガスカートリッジと、
玩具銃用ガスカートリッジ取付装置先端に設けられ、玩具銃本体への取付時には、玩具銃本体に設けられた本体側連結弁に接合される取付装置側連結弁と、
玩具銃用ガスカートリッジ取付装置端部が玩具銃本体側に設けられた取付装置収納部へ収納された場合には、取付装置収納部内に収納される、玩具銃用ガスカートリッジ取付装置の側面、かつ本体側第１係止部との係合部よりも下部に設けられ、本体側第２係止部と係止する取付装置側第２係止部と、
を備える玩具銃。
【請求項２】
玩具銃本体への取付時には、玩具銃側の端部が玩具銃本体に設けられた取付装置収納部内に収納され、
内部にガスカートリッジを収納するとともに、
玩具銃用ガスカートリッジ取付装置先端に設けられ、玩具銃本体への取付時には、玩具銃本体に設けられた本体側連結弁に接合される取付装置側連結弁と、
玩具銃用ガスカートリッジ取付装置端部が玩具銃本体側に設けられた取付装置収納部へ収納された場合には、取付装置収納部内に収納される、玩具銃用ガスカートリッジ取付装置の側面、かつ本体側第１係止部との係合部よりも下部に設けられ、本体側第２係止部と係止する取付装置側第２係止部と、
を備える玩具銃用ガスカートリッジ取付装置。
【発明の詳細な説明】
【技術分野】
【０００１】
本発明は、玩具銃及び玩具銃用取付装置に係る。詳細には、ガスカートリッジを装着でき、このガスカートリッジ内の圧縮ガスによる圧力で弾丸を発射する玩具銃、及び、この玩具銃にガスカートリッジを取り付けるための玩具銃用ガスカートリッジ取付装置に係る。
【背景技術】
【０００２】
CO2ガス等の圧縮ガスを利用して弾丸を発射するエアガンのなかには、ガスボンベを着脱可能な装置である玩具銃用ガスカートリッジ取付装置（パンクチャーユニット）に入れた上で、その玩具銃用ガスカートリッジ取付装置を銃本体に取り付けるものが存在する。
この方式は、ガスボンベを銃本体に直接入れて収納するものと比べると、射撃によるガスの変化に対応しやすい利点がある。すなわち、圧縮ガスをエネルギー源とするエアガンは通常、射撃後にガスが冷える。ガスが冷えると、ガスの膨張力が弱まるため、弾速が落ちたり、ブローバック式ガスガン玩具銃の場合は正常にブローバックしなくなったりするなど、正常に作動しなくなる問題点を有した。
ガスボンベを直接玩具銃本体に入れる方式の場合、いったん使用してガスが冷えてしまうと、暖かい場所に玩具銃を置くなどしないかぎり、ガスを暖めることが困難となる。
【０００３】
着脱可能な玩具銃用ガスカートリッジ取付装置を用いる方式の場合、玩具銃用ガスカートリッジ取付装置を交換すれば、直ちに銃の使用を再開できるため便宜である。
すなわち、銃本体に直接２本のガスボンベを収める方式では、２本のガスボンベをいちいち交換しなければならないため、煩瑣である。
それに対して、玩具銃用ガスカートリッジ取付装置を用いる方式の場合、ガスボンベを２本使用するエアガンでも、ガスボンベの交換に際して、１個のパンクチャーユニットを交換するだけで足りるので便宜である。
【０００４】
このような、玩具銃用ガスカートリッジ取付装置を用いる方式のエアガンのなかには、玩具銃用ガスカートリッジ取付装置に弾丸発射用のバルブを備えているタイプと、玩具銃用ガスカートリッジ取付装置自体にはバルブを備えないタイプとがある。
後者のタイプのエアガンでは、玩具銃本体に玩具銃用ガスカートリッジ取付装置をセットすることにより、玩具銃用ガスカートリッジ取付装置内のガスボンベのガスが玩具銃本体の気室に流入することになる。そして、弾丸発射のためトリガーを引くと、放出バルブが開いてガスが気室から急速に流出し、弾丸を発射させる。本件発明は、上記玩具銃用ガスカートリッジ取付装置を用い、かつ、バルブが玩具銃本体内に存するタイプのエアガンに係る。
【０００５】
この種タイプの玩具銃用ガスカートリッジ取付装置の従来例としては、特開２０１２−４２１１６号「玩具銃及び取付器具」がある（特許文献１）。すなわち、「玩具銃内に配置される気室ボディ１２２は、気室１２６を形成する。気室ボディ１２２内の圧縮ガスは、ガス排出部を通過し、弾丸保持部に保持された弾丸を銃口から発射させる。バルブは、操作部による操作に応じて、気室ボディ１２２とガス排出部との連通を開閉する。玩具銃は、複数のガスカートリッジ取付部２１０を備える。ガスカートリッジ取付部２１０には、ガスボンベ１０２が取り付けられる。各ガスカートリッジ取付部２１０には、第１の弁部が設けられる。ガスカートリッジ取付部２１０に取り付けられたガスボンベ１０２内の圧縮ガスは、ガス導入部３０１を経て、気室１２６内に導かれる。」からなる。
【０００６】
他方、交換等のために玩具銃用ガスカートリッジ取付装置を銃から取り外す際、玩具銃本体の気室内に圧縮ガスが残留していると、ガスが急速に流出しようとするため、玩具銃用ガスカートリッジ取付装置が玩具銃本体から勢いよく飛び出す可能性がある。そこで、このような玩具銃用ガスカートリッジ取付装置の飛び出しを防止するため、玩具銃用ガスカートリッジ取付装置を玩具銃本体から取り外す際、以下のような二段構えの機構を設ける従来例がある。
【０００７】
従来の二段構えの機構は、図１６〜図２１に図示の構造からなる。すなわち図１６は従来例に係る玩具銃の玩具銃用ガスカートリッジ取付装置取付部付近の玩具銃用ガスカートリッジ取付装置取付状態の一部拡大図、図１７は従来例の玩具銃用ガスカートリッジ取付装置の断面図、図１８は、従来例に係る玩具銃の玩具銃用ガスカートリッジ取付装置取付部付近の玩具銃用ガスカートリッジ取付装置取外し過程状態で玩具銃用ガスカートリッジ取付装置とセカンドパンクチャーキャッチとが係合状態の一部拡大図、図１９は従来例に係る玩具銃の正面図、図２０は従来例である玩具銃の下になる実銃の正面図、図２１は従来例に係る玩具銃の玩具銃用ガスカートリッジ取付装置を取り外した状態の右側面斜視図である。
この従来例では、１０１は玩具銃本体である。１０２はバルブであり、図１６、図１８に図示されるように、玩具銃本体１０１内に固定されている。１１１は、玩具銃用ガスカートリッジ取付装置（パンクチャーユニット）であり、内部にガスボンベ１１２が2本収納される。
【０００８】
バルブ１０２と玩具銃用ガスカートリッジ取付装置１１１の係合を解く部材を第1係止部（パンクチャーキャッチ）１１３、玩具銃用ガスカートリッジ取付装置１１１がいったん係止する部材を第２係止部（セカンドパンクチャーキャッチ）１１４としている。
玩具銃用ガスカートリッジ取付装置１１１側面には、固定用溝１１５が設けられている。玩具銃用ガスカートリッジ取付装置１１１が外れかけると、玩具銃本体１０１側に設けられた第1係止部１１３の先端部に取り付けられたパンクチャーキャッチ係止部１１６が固定用溝１１５に嵌合し、これによって玩具銃用ガスカートリッジ取付装置１１１が一旦端係止して固定される（図１８）。
玩具銃本体１０１の取付装置収納部１０３内に設けられた第1係止部１１３を押下すると、第1係止部１１３が回動して、パンクチャーキャッチ１１３と玩具銃用ガスカートリッジ取付装置１１１との係合が解ける。
【０００９】
そのとき、玩具銃本体１０１内の気室に存するガスの圧力によって、パンクチャーユニット１１１が玩具銃本体１０１から離脱しようとするが、第２係止部１１４の先端部に設けられたパンクチャー係止部１１６が玩具銃用ガスカートリッジ取付装置１１１の固定用溝１１５に嵌合する。
気室内のガスは、玩具銃用ガスカートリッジ取付装置１１１と気室１０４との間に存する空間を経て、玩具銃本体１０１の外へ排出される。
その後、第２係止部１１４を押下すると、第２係止部１１４と玩具銃用ガスカートリッジ取付装置１１１との係合が解けて、図１９に図示するように、玩具銃用ガスカートリッジ取付装置１１１が安全に取出可能になる。
【００１０】
すなわち、玩具銃本体１０１と玩具銃用ガスカートリッジ取付装置１１１との取外しにおける２段構えの機構は、図１６〜図２１に図示されるように、以下の作用からなる。
（１）玩具銃本体１０１内のバルブ１０２と、玩具銃用ガスカートリッジ取付装置１１１の第1係止部１１３との係合を解いた直後に、玩具銃用ガスカートリッジ取付装置１１１をいったん玩具銃本体１０１に設けられた別の係止部材である第２係止部１１４に係止させる。
すると、玩具銃本体１０１内の気室内のガスは、玩具銃本体１０１外に流出するので、玩具銃用ガスカートリッジ取付装置１１１の飛び出しのおそれは、なくなる。
（２）係止した玩具銃用ガスカートリッジ取付装置１１１と上記の係止部材である第２係止部１１４との係止を解き、玩具銃用ガスカートリッジ取付装置を玩具銃本体１０１から取り出す。
【先行技術文献】
【特許文献】
【００１１】
【特許文献１】特開２０１２−４２１１６号公報
【発明の概要】
【発明が解決しようとする課題】
【００１２】
しかしながら、図１６〜図２１に図示される従来例では以下の課題がある。
玩具銃であるエアガンは、装薬銃たる実銃のデザインを模倣して製作されることが多い。このようなエアガンの商品価値は、実銃のデザインとの近似性の高さで決せられる。しかるに、上記の従来例では、装薬銃であれば弾倉（マガジン）が挿入されて着脱可能な部分である取付装置収納部１０３が、図１９に図示されるように玩具銃本体１０１と一体になっている。
そのため、玩具銃用ガスカートリッジ取付装置１１１を外したときに、中に、第２係止部１１４が設けられているカバー状の部材取付装置収納部１０３が玩具銃本体１０１に付いたままになって実銃のデザインとの近似性が低くなり、エアガンのデザインを損なう課題を有する。
【００１３】
すなわち、従来例である玩具銃の基になる実銃１２１の正面図である図２０に図示されるように、１２２は実銃弾が装填された実銃１２１に着脱されるカートリッジである。カートリッジ１２２を、実銃１２１から脱状態とすると、カートリッジ１２２が着状態のとき実銃１２１に取り付けられていた部分には突起は全くなく、平滑である。
さらに、第1係止部（パンクチャーキャッチ）１１３の操作部、第２係止部１１４の操作部は、玩具銃本体１０１の外部から操作するため、図２１に図示されるように、露出しているため同様の課題を有する。
【００１４】
本発明の目的は、実銃のデザインとの近似性を保ちながら、交換等のために玩具銃用ガスカートリッジ取付装置（パンクチャーユニット）を銃から取り外す際、玩具銃用ガスカートリッジ取付装置が玩具銃本体から勢いよく飛び出す課題を解決する手段を提供することである。
【課題を解決するための手段】
【００１５】
本発明の玩具銃は、
玩具銃本体と、玩具銃本体に取り付けられる玩具銃用ガスカートリッジ取付装置とを備え、
玩具銃本体は、
圧縮ガスを外部から導入し、玩具銃本体内部に供給する本体側連結弁と、
本体側連結弁の周囲に設けられた取付装置収納部と、
取付装置収納部の上部に設けられて、玩具銃用ガスカートリッジ取付装置の玩具銃側端部を取付装置収納部の開口部から挿入させた玩具銃本体への取付時に、玩具銃用ガスカートリッジ取付装置に係止する、本体側第１係止部と、
本体側第１係止部の下部に、本体側第２係止部とを有し、
玩具銃用ガスカートリッジ取付装置は、
玩具銃本体への取付時には、玩具銃側の端部が玩具銃本体に設けられた取付装置収納部内に収納され、
内部に収納されるガスカートリッジと、
玩具銃用ガスカートリッジ取付装置先端に設けられ、玩具銃本体への取付時には、玩具銃本体に設けられた本体側連結弁に接合される取付装置側連結弁と、
玩具銃用ガスカートリッジ取付装置端部が玩具銃本体側に設けられた取付装置収納部へ収納された場合には、取付装置収納部内に収納される、玩具銃用ガスカートリッジ取付装置の側面、かつ本体側第１係止部との係合部よりも下部に設けられ、本体側第２係止部と係止する取付装置側第２係止部と、
を備える。
【００１６】
あるいは、本発明の玩具銃用ガスカートリッジ取付装置は、
玩具銃本体への取付時には、玩具銃側の端部が玩具銃本体に設けられた取付装置収納部内に収納され、
内部にガスカートリッジを収納するとともに、
玩具銃用ガスカートリッジ取付装置先端に設けられ、玩具銃本体への取付時には、玩具銃本体に設けられた本体側連結弁に接合される取付装置側連結弁と、
玩具銃用ガスカートリッジ取付装置端部が玩具銃本体側に設けられた取付装置収納部へ収納された場合には、取付装置収納部内に収納される、玩具銃用ガスカートリッジ取付装置の側面、かつ本体側第１係止部との係合部よりも下部に設けられ、本体側第２係止部と係止する取付装置側第２係止部と、
を備える。
【発明の効果】
【００１７】
本発明によれば、
玩具銃用ガスカートリッジ取付装置に係止する本体側第１係止部の係止を解いても、本体側第２係止部と取付装置側第２係止部とが、係止する。
そのため、交換等のために玩具銃用ガスカートリッジ取付装置を銃から取り外す際、玩具銃用ガスカートリッジ取付装置が玩具銃本体から勢いよく飛び出す課題を解決する手段を提供する。
実銃でも、トリガーガードの銃口寄りには実銃が装填されたカートリッジを固定させる収納部分を設けた例があり、実銃との違和感を感じさせない。
【図面の簡単な説明】
【００１８】
【図１】この発明の実施の形態に係る実施例の玩具銃用ガスカートリッジ取付装置を玩具銃本体に取付た状態における正面断面図である。
【図２】この発明の実施の形態に係る実施例の玩具銃用ガスカートリッジ取付装置の一部正面断面図である。
【図３】この発明の実施の形態に係る実施例の玩具銃用ガスカートリッジ取付装置の正面図である。
【図４】この発明の実施の形態に係る実施例の玩具銃用ガスカートリッジ取付装置の玩具銃本体への取付状態から取外した状態への移行状態の正面断面図である。
【図５】この発明の実施の形態に係る実施例の玩具銃用ガスカートリッジ取付装置の玩具銃本体への取付状態から取外した状態への移行状態の正面断面図である。
【図６】この発明の実施の形態に係る実施例の玩具銃用ガスカートリッジ取付装置の玩具銃本体への取付状態から取外した状態への移行状態の正面断面図である。
【図７】この発明の実施の形態に係る本体側第１係止部と取付装置側第２係止部との関係を表す一部拡大斜視図である。
【図８】この発明の実施の形態に係る本体側第１係止部と取付装置側第２係止部との関係を表す、取付装置側第２係止部が未係止状態の本体側第１係止部の一部拡大断面図である。
【図９】この発明の実施の形態に係る本体側第１係止部と取付装置側第２係止部との関係を表す一部拡大断面図である。
【図１０】この発明の実施の形態に係る本体側第１係止部と取付装置側第２係止部との関係を表す一部拡大断面図である。
【図１１】この発明の実施の形態に係る本体側第１係止部と取付装置側第２係止部との関係を表す一部拡大断面図である。
【図１２】この発明の実施の形態に係る実施例の玩具銃用ガスカートリッジ取付装置を玩具銃本体に取付けた状態における作動前の正面図である
【図１３】この発明の実施の形態に係る実施例の玩具銃用ガスカートリッジ取付装置を玩具銃本体に取付けた状態から取外した状態への移行状態の正面図である。
【図１４】この発明の実施の形態に係る実施例の玩具銃用ガスカートリッジ取付装置を玩具銃本体から取外した状態の正面図である。
【図１５】この発明の実施の形態に係る実施例の玩具銃用ガスカートリッジ取付装置を玩具銃本体から取外した状態の背面図である。
【図１６】従来例の一部拡大正面図である。
【図１７】従来例の玩具銃用ガスカートリッジ取付装置の正面断面図である。
【図１８】従来例の玩具銃用ガスカートリッジ取付装置を玩具銃本体に取付状態から取外した状態への移行状態の一部拡大図である。
【図１９】従来例の玩具銃用ガスカートリッジ取付装置を玩具銃本体から取外した状態の正面図である。
【図２０】従来の実銃からカートリッジを取外した状態の正面図である。。
【図２１】従来例の玩具銃用ガスカートリッジ取付装置を玩具銃本体から取外した状態の斜視図である。
【発明を実施するための形態】
【００１９】
この発明の実施の一形態に係る実施例を、実施例を表す図１乃至図１５に基づいて説明する。
本発明の玩具銃１１は、玩具銃本体１２と、玩具銃本体１２に取り付けられる玩具銃用ガスカートリッジ取付装置４１とからなる。玩具銃本体１２は、玩具銃本体１２の両側面を構成する玩具銃本体側面パネル１２Ａ、１２Ｂからなり、これらで玩具銃本体１２の両側面を構成する。
【００２０】
玩具銃本体１２は、図１に図示されるように、玩具銃本体側面パネル１２Ａ、１２Ｂ内部に、気室１３、気室１３内に設置されるバルブ１４、バルブ１４の後部に、筒状をなし、玩具銃１１の前後方向に延びて、銃身の前後方向に移動自在であるボルト１５等が設けられる。
２１は、トリガーである。２２は、トリガーガードである。トリガーガード２２は、トリガー２１の下辺を含め、トリガー２１が玩具銃本体１２で覆われていない、トリガーが周囲に剥き出しとなっている下辺、及び前方側（銃口側）部分の周囲に設けられる。
ボルト１５は、使用者がトリガー２１を引くと前進を開始し、ボルトスプリング１５ｂとバルブ１４から供給される圧縮ガスの圧力とによって押圧位置と後退位置との間を往復する。１５ａは、当接部である。
バルブ１４の銃口１５寄りには、ガス排出部１６を介してバレル１７が設けられる。バルブ１４から供給される圧縮ガスが通過することにより、弾丸はバレル１７内を銃口１５方向に発射される。
【００２１】
１８は、本体側連結弁である。本体側連結弁１８は、バルブ１４の下部にバルブ１４に連結させて設けられるノズルからなる。本体側連結弁１８は、外部の玩具銃用ガスカートリッジ取付装置４１から圧縮ガスを導入し、その圧縮ガスを玩具銃本体１２内部にあるバルブ１４に供給する。
【００２２】
２３は、取付装置収納部である。取付装置収納部２３は、トリガーガード２２の前方側に隣接させて、本体側連結弁１８の周囲に下端を開口させて、筒状に、トリガーガード２２の下辺までの長さで設ける。取付装置収納部２３は、トリガーガード２２の前方部分を組み込んで一体に設けられる。
【００２３】
３１は、本体側第１係止部（パンクチャーキャッチ）である。本体側第１係止部３１は、図１に図示されるように、玩具銃本体１２の、取付装置収納部２３のトリガー２１側上部に、取り付けられる。本体側第１係止部３１は、先端を取付装置収納部２３内部に向けて設けられる。
本体側第１係止部が、玩具銃用ガスカートリッジ取付装置４１の玩具銃１１側端部を取付装置収納部２３の開口部から挿入し、玩具銃本体１２へ取り付ける際に、玩具銃用ガスカートリッジ取付装置４１を係止させる
【００２４】
３２は、本体側第２係止部（セカンドパンクチャーキャッチ用係止部）である。本体側第２係止部３２は、本体側第１係止部３１の下部に、トリガーガード２２の下辺かつ銃口１５側端に、取付装置収納部２３内部に先端を向けて設置される。
この実施例では、取付装置収納部２３をトリガーガード２２と一体に設けたので、トリガーガードの下辺銃口１５側端に設置する。
本体側第２係止部３２は、図１、図４に図示されるように、全体としては略Ｌ字状の部材からなり、前方側が取付装置収納部２３側かつ上方に突設する。
本体側第２係止部３２の取付装置収納部２３側上端部と、玩具銃用ガスカートリッジ取付装置４１の取付装置側第２係止部（セカンドパンクチャーキャッチ）６１に設けられた、銃本体係止凹部６６の二次係止部６４とが係止する。
玩具銃用ガスカートリッジ取付装置４１の玩具銃１１への装着時には、本体側第２係止部３２は、玩具銃本体１２内に隠れている。
【００２５】
４１は、玩具銃用ガスカートリッジ取付装置（パンクチャーユニット）である。
図１は、玩具銃用ガスカートリッジ取付装置４１を玩具銃本体１２に組み込んだ状態、すなわち静止状態をあらわす。玩具銃用ガスカートリッジ取付装置４１は、この実施例では、内部にガスカートリッジ４２を２本収納する。
この実施例ではガスカートリッジ４２は、２本収納するが、１本のみ収納してもそれ以外の本数を収納してもよい。
玩具銃用ガスカートリッジ取付装置４１は、ケース状のアウターケース４３の中に、ガスカートリッジ４２の取付装置（パンクチャーフレーム）４４が設けられ、その中にガスカートリッジ４２は収納されている。
玩具銃用ガスカートリッジ取付装置４１の玩具銃本体１２への取付時には、玩具銃側の端部が玩具銃本体に設けられた取付装置収納部２３内に収納される。
【００２６】
５１は、取付装置側連結弁である。取付装置側連結弁５１は、玩具銃用ガスカートリッジ取付装置４１先端に設けられ、玩具銃本体１２への取付時には、玩具銃本体１２に設けられた本体側連結部１８に接合される。
５２はパッキン、５３はボンベ開封パーツ、５４はパッキンである。５５は、取付装置側連結弁スプリングであり、取付装置側連結弁５１を付勢させて弁に閉状態をとらせる。
【００２７】
６１は、取付装置側第２係止部（セカンドパンクチャーキャッチ）である。取付装置側第２係止部（セカンドパンクチャーキャッチ）６１は、玩具銃用ガスカートリッジ取付装置４１の側面に設けられる。図１に図示されるように、玩具銃用ガスカートリッジ取付装置４１端部が、玩具銃本体１２側に設けられた取付装置収納部２３へ収納された場合には、取付装置収納部２３内に収納され外部から見えない位置に設けられる。更に、取付装置側第２係止部６１は、玩具銃用ガスカートリッジ取付装置４１側面、かつ本体側第１係止部３１との係合部よりも下部に設けられ、本体側第２係止部３２と係止する。
【００２８】
取付装置側第２係止部６１は、レバー状の部材からなる。６２は、第２係止部回動軸であり、玩具銃用ガスカートリッジ取付装置４１側面に取り付けられる。取付装置側第２係止部６１は、第２係止部回動軸６２を中心に回動する。
取付装置側第２係止部６１中央付近には、第２係止部スプリング６３が、取付装置側第２係止部６１と取付装置４４との間に設けられる。第２係止部スプリング６３は、第２係止部回動軸６２を回転軸として回転するように、図面では、反時計回りに付勢される。
【００２９】
取付装置側第２係止部６１の第２係止部スプリング６３の下方には、二次係止部（パンクチャーフレーム係止突起）６４が設けられる。そのさらに下方には、第２係止部操作部６５が設けられる。第２係止部操作部６５の上部と二次係止部６４との間には、取付装置側第２係止部６１が玩具銃用ガスカートリッジ取付装置４１内部に抉られて横向きの凹状となった、銃本体係止凹部６６が設けられる。二次係止部６４は、横向き凹状となって、玩具銃用ガスカートリッジ取付装置４１内部に向けて凹んだ銃本体係止凹部６６の上辺内側が該当する。
従来例では、玩具銃本体に設けられていた第２係止部１１４を、この実施例では、玩具銃用ガスカートリッジ取付装置４１に設け、玩具銃本体１２には、本体側第２係止部３２を設けた。
【００３０】
ボルト１５は、銃身、バレル（通路）１７の前後方向に移動自在である。ボルト１５は、利用者がトリガー２１を引くと前進を開始し、ボルトスプリングと圧縮ガスの圧力とによって押圧位置と後退位置との間を往復する。
ボルト１５が前進して押圧位置まで達すると、気室ボディの後方側の外周部分がボルト１５の開口端に嵌合する。ボルト１５がさらに前進すると、当接部１５ａが、嵌合孔内に突出しているバルブの摺動突起１４ａを前方に押す。これにより、バルブ１４は前方側にスライド移動し、通路１７と気室１３との連通が開放される。
【００３１】
通路１７と気室１３との連通が開放されると、気室１３に満たされた圧縮ガスは、通路１７に流入し、弾丸保持部に保持された弾丸の後面を押す。その結果、弾丸は、銃口１５から飛び出す。バルブ１４は、気室１３とガス排出部１６との連通を開閉する。
【００３２】
また、通路１７と気室１３との連通が開放されると、圧縮ガスは、当接部１５ａを後方に押す。これにより、ボルト１５は、後退を開始し、後退位置に達する。後退位置に達したボルト１５は、ボルトスプリング１５ｂに押されて再び前進する。そして、ボルト１５は、押圧位置に達すると、バルブ１４の摺動突起１４ａを前方に押す。このように、ボルト１５は、前進と後退とを繰り返す往復運動をする。そしてボルト１５は、一往復する間にバルブ１４に当接及び離反し、通路１７と気室１３との連通を開閉する。
当接部１５ａが摺動突起から離反すると、バルブスプリングはバルブ１４を後方に押し返す。これにより、バルブ１４は後方にスライド移動し、通路１７と気室１３との連通は閉止される。その後、気室１３内は、ガス導入路から供給される圧縮ガスで満たされる。
なお、本発明は、トリガーを引き続ける限り弾丸を発射しつづけるフルオートマチックの銃のほか、
（１）トリガーを引くと、１発弾丸を発射するセミオートマチックの銃
（２）トリガーを引くと数発弾丸を発射するバースト射撃を行う銃
を含むものであって、ボルト１５他の作動は、これら玩具銃の種類に応じて作動するものである。
【００３３】
次に、この発明の実施例の作用について図面に基づいて説明する。
玩具銃用ガスカートリッジ取付装置４１を玩具銃本体１２に取り付けている状態では、図１に図示されるように、本体側第１係止部３１と玩具銃用ガスカートリッジ取付装置４１側面とは押圧されることで係合しており、玩具銃用ガスカートリッジ取付装置４１と玩具銃本体１２とは固定されている。
図４は、玩具銃用ガスカートリッジ取付装置４１を玩具銃本体１２から取り外すため、玩具銃本体１２に設置されている本体側第１係止部３１を操作して、本体側第１係止部３１と玩具銃用ガスカートリッジ取付装置４１側面との係合を解き、玩具銃用ガスカートリッジ取付装置４１が下方へ少し移動した瞬間の断面図である。
本体側第１係止部３１と玩具銃用ガスカートリッジ取付装置４１側面との係合を解くと、バルブ１４内に残留したガスが開放され、その圧力で玩具銃用ガスカートリッジ取付装置４１は、図４に図示されるように下方へ移動する。このとき、取付装置側第２係止部６１は、第２係止部スプリング６３の付勢力によって、反時計回りに回動し始める。
【００３４】
すなわち、本体側第１係止部３１と、取付装置側第２係止部（セカンドパンクチャーキャッチ）６１との係合状態から係合解除状態への移行を、本体側第１係止部３１及び取付装置側第２係止部６１の斜視図をあらわす図７、及び、本体側第１係止部３１及び取付装置側第２係止部６１の側面一部断面図をあらわす図８〜図１１にしたがって説明する。
図７に図示されるように、本体側第１係止部３１は、上から見ると略Ｌ字型の部材で、第１係止部（パンクチャーキャッチ）スプリング３３によって付勢されている。第１係止部スプリング３３は、本体側第１係止部３１に設けられたスプリング収納部３４に一端は収納され、他端は、取付装置側第２係止部６１が未係止状態の本体側第１係止部３１の断面をあらわす図８に図示されるように、玩具銃本体側面パネル１２Ａに固定される。
そして、本体側第１係止部３１は、銃を前後から見たときに平行に移動する。本体側第１係止部３１と取付装置側第２係止部６１は、静止状態にあっては係合している。
本体側第１係止部３１は、玩具銃本体側面パネル１２Ａ、１２Ｂ間に亘って設置される。
【００３５】
３５は、操作押圧部である。操作押圧部３５は、図１５に図示されるように、玩具銃１１の反対側面にまで突設させる。
図７〜図１１に図示される３６は、本体側第１係止部３１に設けられる係合部である。図７〜図１１に図示される６７は、取付装置側第２係止部６１に設けられる係合部である。
本体側第１係止部３１と取付装置側第２係止部６１との係合時には、係合部３６と係合６７を図９に図示するように係合させて、本体側第１係止部３１と取付装置側第２係止部６１とを固定する。
本体側第１係止部３１と取付装置側第２係止部６１との係合解除時には、図１０に図示されるように、本体側第１係止部３１の操作押圧部３５を押す。操作押圧部３５を押すことによって、係合部３６と係合部６７との係合は第１係止部スプリング３３の付勢力に抗して、解ける。本体側第１係止部３１と取付装置側第２係止部６１の係合が解け、その結果、取付装置側第２係止部６１を含む玩具銃用ガスカートリッジ取付装置４１は、図１１に図示されるように、ガス圧によって落下する。
【００３６】
図５は、図４の状態の後、本体側第２係止部３２と玩具銃用ガスカートリッジ取付装置４１が係合した状態の図である。
取付装置側第２係止部６１が、第２係止部スプリング６３の付勢力によって、反時計回りに回動し、取付装置側第２係止部６１に設けられた二次係止部６４と玩具銃本体１２に設けられた本体側第２係止部３２が係合する。本体側第２係止部３２の先端よりも下部は、銃本体係止凹部６６の凹状内に収納される。
これにより、玩具銃用ガスカートリッジ取付装置４１を一旦係止させることができる。このとき外観は、図１３に図示される状態となり、第２係止部操作部６５が取付装置収納部２３から露出する。
【００３７】
図６は、第２係止部操作部６５を、玩具銃用ガスカートリッジ取付装置４１側に押下した直後の断面図である。
第２係止部操作部６５を、玩具銃用ガスカートリッジ取付装置４１側に押下すると、本体側第２係止部３２と玩具銃用ガスカートリッジ取付装置４１の取付装置側第２係止部６１との係合が解け、本体側第２係止部３２は銃本体係止凹部６６の凹状内から出て、玩具銃用ガスカートリッジ取付装置４１を、玩具銃１１から取り外すことができる。
【００３８】
図１２に図示される実施例の玩具銃用ガスカートリッジ取付装置４１を使用する玩具銃１１であるエアガンの外観側面図あるいは、図１４、図１５に図示される玩具銃用ガスカートリッジ取付装置４１を外した状態をみれば判るように、玩具銃用ガスカートリッジ取付装置４１の着脱が外観上、装薬銃のマガジンの着脱に類似しており、実銃との近似性を高めている。
【００３９】
図１２は、実施例の玩具銃用ガスカートリッジ取付装置４１を玩具銃本体１２に装着した状態の外観側面図である。図１２の断面図が、図１である。
この状態では、第２係止部操作部６５は、玩具銃１１の内側に隠れている。従来例と異なり、実銃にない部品が玩具銃本体１２の外観上に存在しないため、実銃に近似した外観を実現できている。
【００４０】
図１３は、本体側第１係止部３１を押下した直後の状態を示す、外観図である。この図の一部断面図が、図６である。
玩具銃用ガスカートリッジ取付装置４１は、ガス圧で急速に下降を始め、玩具銃本体１２より離反しようとするが、玩具銃本体１２側に設けられた本体側第２係止部３２と、玩具銃用ガスカートリッジ取付装置４１側に設けられた、取付装置側第２係止部６１の二次係止部６４が係合して停止する。
ここで初めて、第２係止部操作部６５が玩具銃本体１２から露出し、操作可能となる。また、第２係止部操作部６５の操作が必要なときにしか露出しないので、誤作動をさせてしまうことがない。
【００４１】
したがって、この発明の実施例では、
（１）本体側第１係止部３１を操作することにより、玩具銃用ガスカートリッジ取付装置４１がガス圧で下降し、このときに第２係止部操作部６５が露出する。この時点では、取付装置側第２係止部６１が、玩具銃本体１２内の本体側第２係止部３２と係止している。
（２）取付装置側第２係止部６１の第２係止部操作部６５を操作することにより、玩具銃本体１２と取付装置４１との係止を解き、玩具銃用ガスカートリッジ取付装置４１を玩具銃１１から取り出す
という、二段構えの作動とした。
こうして、玩具銃用ガスカートリッジ取付装置４１側の取付装置側第２係止部６１の第２係止部操作部６５を操作することにより、第２係止部操作部６５を、玩具銃１１の外部に露出しないような位置に配置することとした。
【００４２】
再度、玩具銃用ガスカートリッジ取付装置４１を玩具銃本体１２に取り付けるときは、図１に図示されるように、本体側第１係止部３１と玩具銃用ガスカートリッジ取付装置４１側面とを押圧されることで係合させ、玩具銃用ガスカートリッジ取付装置４１と玩具銃本体１２とを固定させる。
【００４３】
あたかも装薬銃で弾倉を着脱するかのように、玩具銃用ガスカートリッジ取付装置４１を着脱することが可能になり、実銃のデザインとの近似性が増す。
また、第２係止部操作部６５は、玩具銃用ガスカートリッジ取付装置４１を玩具銃１１にセットしている状態にあっては、銃の外部に露出しなくなった。この点でも、実銃のデザインとの近似性が増し、エアガンの商品価値を高めることとなる。
【符号の説明】
【００４４】
１１  玩具銃
１２  玩具銃本体
１８  本体側連結弁
２１  トリガー
２２  トリガーガード
２３  取付装置収納部
３１  本体側第１係止部
３２  本体側第２係止部
４１  玩具銃用ガスカートリッジ取付装置
４２  ガスカートリッジ
５１  取付装置側連結弁
６１  取付装置側第２係止部
【図１】
2014202389.tif 000003
【図２】
2014202389.tif 000004
【図３】
2014202389.tif 000005
【図４】
2014202389.tif 000006
【図５】
2014202389.tif 000007
【図６】
2014202389.tif 000008
【図７】
2014202389.tif 000009
【図８】
2014202389.tif 000010
【図９】
2014202389.tif 000011
【図１０】
2014202389.tif 000012
【図１１】
2014202389.tif 000013
【図１２】
2014202389.tif 000014
【図１３】
2014202389.tif 000015
【図１４】
2014202389.tif 000016
【図１５】
2014202389.tif 000017
【図１６】
2014202389.tif 000018
【図１７】
2014202389.tif 000019
【図１８】
2014202389.tif 000020
【図１９】
2014202389.tif 000021
【図２０】
2014202389.tif 000022
【図２１】
2014202389.tif 000023